(57)【要約】      （修正有）【課題】壊れにくく、やさしい輝きで暗闇でも見つけ易く、企業広告等も容易に施すことができ、斬新で軽い携帯電話機用ストラップを提供する。【解決手段】アクセサリ部は、メッシュ状の中空ボール１１と、この中空ボール１１に対して回転可能に嵌め込まれているロゴプレートとからなる。中空ボール１１は、上下二つの半割体１１ａ，１１ｂを溶着してボール形状としたもので、メッシュサイズ０．１ｍｍの微小角孔１３が無数に形成された精密射出成形品として製造され、内部には蛍光ボール１４が封入される。ロゴプレートは、レーザ光を照射すると色が変化する性質を有する合成樹脂を用いて射出成形によって製造する。【選択図】図２
0003159563.tif 000002
【実用新案登録請求の範囲】
【請求項１】
アクセサリ部と、ストラップ金具部とからなり、アクセサリ部が以下の様に構成されていることを特徴とする携帯電話機用ストラップ。
（１）前記アクセサリ部は、メッシュ状の中空ボールと、この中空ボールに対して回転可能に嵌め込まれているロゴプレートとから構成されていること。
（２）前記中空ボールは、射出成形によって製造した上下二つの半割体を溶着してボール形状としたもので、微小角孔が無数に形成されると共に、内部に蛍光体で製造した蛍光ボールが封入されていること。
（３）前記ロゴプレートは、レーザ光を照射すると色が変化する性質を有する合成樹脂を用いて射出成形によって製造され、一方の端に前記ストラップ金具を取り付ける金具取付部が形成されると共に他方の端に側面からの押圧によって縮小する様にスリットが設けられた鏃状突起を備えていること。
（４）前記中空ボールを構成する半割体の一方には中心孔が形成され、前記ロゴプレートの鏃状突起を当該中心孔に差し込んで抜け止めされていること。
【考案の詳細な説明】
【技術分野】
【０００１】
本考案は、携帯電話機用のストラップに係り、特に、広告機能を有すると共に暗い場所でも見つけ易いストラップに関する。
【背景技術】
【０００２】
紐状部材の付いた蛍光色の施された風船ストラップを取り付けることで、暗いところでも携帯電話の正確な位置を知ることができるという提案がある（特許文献１）。
【０００３】
また、角丸長方形のパネル板に蓄光材を混入して製作することにより、暗闇で光る性質を有し、企業等の名前を入れたり、イメージキャラクターを入れたりすることが出来るストラップも提案されている（特許文献２）。
【先行技術文献】
【特許文献】
【０００４】
【特許文献１】実用新案登録第３１０７８７６号公報
【特許文献２】実用新案登録第３１３９４３０号公報
【考案の概要】
【考案が解決しようとする課題】
【０００５】
特許文献１の提案する蛍光性の風船ストラップは、割れるという問題があり、特許文献２の提案する蓄光材混入パネル型ストラップは面白みに欠けるという問題がある。
【０００６】
そこで、本考案は、壊れにくく、やさしい輝きで暗闇でも見つけ易く、企業広告等も容易に施すことができ、斬新で軽い携帯電話機用ストラップを提供することを目的とする。
【課題を解決するための手段】
【０００７】
上記目的を達成するためになされた本考案の携帯電話機用ストラップは、アクセサリ部と、ストラップ金具部とからなり、アクセサリ部が以下の様に構成されていることを特徴とする。
（１）前記アクセサリ部は、メッシュ状の中空ボールと、この中空ボールに対して回転可能に嵌め込まれているロゴプレートとから構成されていること。
（２）前記中空ボールは、射出成形によって製造した上下二つの半割体を溶着してボール形状としたもので、微小角孔が無数に形成されると共に、内部に蛍光体で製造した蛍光ボールが封入されていること。
（３）前記ロゴプレートは、レーザ光を照射すると色が変化する性質を有する合成樹脂を用いて射出成形によって製造され、一方の端に前記ストラップ金具を取り付ける金具取付部が形成されると共に他方の端に側面からの押圧によって縮小する様にスリットが設けられた鏃状突起を備えていること。
（４）前記中空ボールを構成する半割体の一方には中心孔が形成され、前記ロゴプレートの鏃状突起を当該中心孔に差し込んで抜け止めされていること。
【考案の効果】
【０００８】
本考案の携帯電話機用ストラップによれば、メッシュの目を通したやさしい光を放つことで暗闇でも見つけ易いだけでなく立体的で斬新なイメージを与えることができると共に、プレート部には企業広告等を容易に施すことができる。加えて、軽くて壊れにくい。
【図面の簡単な説明】
【０００９】
【図１】実施例の携帯電話機用ストラップを示し、（Ａ）は斜視図、（Ｂ）はアクセサリ部の斜視図、（Ｃ）はアクセサリ部の平面図、（Ｄ）はアクセサリ部の正面図、（Ｅ）はアクセサリ部の右側面図、（Ｆ）はアクセサリ部の底面図である。
【図２】実施例の携帯電話機用ストラップのアクセサリ部を示し、（Ａ）は各部品並びに組み立てられた状態の斜視図、（Ｂ）は要部の拡大斜視図である。
【図３】実施例の携帯電話機用ストラップのアクセサリ部の自動組み立てシステムの構成を示す斜視図である。
【図４】実施例の携帯電話機用ストラップのアクセサリ部の自動組み立てシステムの整形金型を示し、（Ａ）は全体の斜視図、（Ｂ）はスライドコアのキャビティ面を示す正面図、（Ｃ）は内型のキャビティ面を示す斜視図である。
【考案を実施するための形態】
【００１０】
以下、本考案を実施するための形態を実施例で説明する。
【実施例１】
【００１１】
実施例の携帯電話機用ストラップ１は、図１に示す様に、アクセサリ部１０と、ストラップ金具２０とからなる。アクセサリ部１０は、メッシュ状の中空ボール１１と、この中空ボール１１に対して回転可能に嵌め込まれているロゴプレート１２とからなる。
【００１２】
図２に示す様に、中空ボール１１は、合成樹脂（デュポン製ポリプロピレン「デルリン（商品名、登録商標）」）を用いて射出成形によって製造した上下二つの半割体１１ａ，１１ｂを溶着してボール形状としたものである。この半割体１１ａ，１１ｂは、メッシュサイズ０．１ｍｍの微小角孔１３が無数に形成された精密射出成形品として製造されている。また、中空ボール１１の内部には、蛍光体（根元特殊化学製Ｎ夜光ペレット「ＰＰ２ＬＮ−１０Ｐ（商品名）」）で製造した蛍光ボール１４が二個封入されている。従って、暗闇では、蛍光ボール１４，１４の発する光が微小角孔１３から漏れ出る様に淡い光を放つ。
【００１３】
ロゴプレート１２は、レーザ光を照射すると色が変化する性質を有する合成樹脂（東レ・デュポン製エラストマー「ハイトレル（商品名、登録商標）」）を用いて射出成形によって製造されている。このため、ロゴプレート１２に対して、レーザ光を照射して文字や図形を描くことで、樹脂発色による微細な文字や図形を表現することができる。
【００１４】
ロゴプレート１２は、一方の端にストラップ金具２０を取り付ける金具取付部１５が形成されると共に他方の端に側面からの押圧によって縮小する様にスリットが設けられた鏃状突起１６を備えている。そして、中空ボール１１の下側半割体１１ａの中心孔１７に鏃状突起１６を差し込んで抜け止めすることで、ロゴプレート１２は、中空ボール１１に対して回転自在に組み立てられる。
【００１５】
本実施例のアクセサリ部１０は、図３に示す自動組み立てシステムを用いて自動化されたラインで製造される。成形用金型には、ホットランナシステムを採用し、微細な角孔１３等を精度良く形成できる様にする工夫がなされている。金型は４方向スライドコアを用いており、キャビティ面には微細加工が施されている。
【００１６】
本実施例によれば、中空ボール１１に封入した蛍光ボール１４が微小角孔１３を通したやさしい光を放つことで、暗闇でも見つけ易いだけでなく立体的で斬新なイメージを与えることができると共に、ロゴプレート１２には樹脂発色作用を利用して企業名等を微細かつ明瞭に施すことができる。従って、軽くて壊れにくく、繊細で精密品としての仕上がりから、ノベルティ商品等として配布した場合に企業イメージを高めるのに役立つ。
【００１７】
以上、考案を実施するための一実施例を説明したが、本考案は、これに限定されるものではなく、その要旨を逸脱しない範囲内における種々の変更が可能である。
【産業上の利用可能性】
【００１８】
ノベルティ商品として配布したり、アクセサリとして販売したりすることができる。
【符号の説明】
【００１９】
１・・・携帯電話機用ストラップ
１０・・・アクセサリ部
１１・・・メッシュ状の中空ボール
１１ａ，１１ｂ・・・半割体
１２・・・ロゴプレート
１３・・・微小角孔
１４・・・蛍光ボール
１６・・・鏃状突起
１５・・・金具取付部
１６・・・鏃状突起
１７・・・中心孔
２０・・・ストラップ金具
【図１】
0003159563.tif 000003
【図２】
0003159563.tif 000004
【図３】
0003159563.tif 000005
【図４】
0003159563.tif 000006
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
アクセサリ部と、ストラップ金具部とからなり、
（１）前記アクセサリ部は、メッシュ状の中空ボールと、この中空ボールに対して回転可能に嵌め込まれているロゴプレートとから構成されていること、
（２）前記中空ボールは、射出成形によって製造した上下二つの半割体を溶着してボール形状としたもので、微小角孔が無数に形成されると共に、内部に蛍光体で製造した蛍光ボールが封入されていること、
（３）前記ロゴプレートは、レーザ光を照射すると色が変化する性質を有する合成樹脂を用いて射出成形によって製造され、一方の端に前記ストラップ金具部を取り付ける金具取付部が形成されると共に他方の端に側面からの押圧によって縮小する様にスリットが設けられた鏃状突起を備えていること、
（４）前記中空ボールを構成する半割体の一方には中心孔が形成され、前記ロゴプレートの鏃状突起を当該中心孔に差し込んで抜け止めされていること、
を特徴とする携帯電話機用ストラップ。
【手続補正２】
【補正対象書類名】明細書
【補正対象項目名】０００７
【補正方法】変更
【補正の内容】
【０００７】
上記目的を達成するためになされた本考案の携帯電話機用ストラップは、アクセサリ部と、ストラップ金具部とからなり、
（１）前記アクセサリ部は、メッシュ状の中空ボールと、この中空ボールに対して回転可能に嵌め込まれているロゴプレートとから構成されていること、
（２）前記中空ボールは、射出成形によって製造した上下二つの半割体を溶着してボール形状としたもので、微小角孔が無数に形成されると共に、内部に蛍光体で製造した蛍光ボールが封入されていること、
（３）前記ロゴプレートは、レーザ光を照射すると色が変化する性質を有する合成樹脂を用いて射出成形によって製造され、一方の端に前記ストラップ金具部を取り付ける金具取付部が形成されると共に他方の端に側面からの押圧によって縮小する様にスリットが設けられた鏃状突起を備えていること、
（４）前記中空ボールを構成する半割体の一方には中心孔が形成され、前記ロゴプレートの鏃状突起を当該中心孔に差し込んで抜け止めされていること、
を特徴とする。